(57)【要約】【課題】  サッカーボール型住宅構造物において、自然対流を利用して室内へ新鮮な空気を取込み、より安全な大きさの出入口ドアーの設置、安価に輸送するための重量軽減及び構造物と基礎を堅固に固定した最良な住環境を提供する。【解決手段】  室内換気を温度差、気圧差が最も得られる位置、床下側面パネルの床下点検口又はその近くの最も低い位置に吸気口を取付け、室内最上部に排気口を取付けたもので、直接床を通ることなく造付台の側面に取付けられたガラリを通して室内に新鮮な空気を取込だ後天井部分に取付けてある排気口より排気し、さらに主用材料である正五、正六角形パネルの全周を木材フレームで補強することによって重量を軽減して、構造物を構成する限られた大きさのパネル１枚からの出入口に無理があったものを、パネル上下２枚を使って球体外側に出した袖壁にドアーを取付けたものである。【選択図】図５
2008291628.tif 000002
【特許請求の範囲】
【請求項１】
サッカーボール型住宅構造物の「正五角形パネル（第５図−ｋ）１２枚、正六角形パネル（ｊ）２０枚の組合せ」における、室内環境を快適にするための自然換気の取入れ構造において、
温度、気圧差の対流を利用して室内に空気を取込むために、最下段のパネルに吸気口（ｍ）を取付け、内部床を設け、その床下に空気を取りこみ、次に内部造付台又は造付棚の側面にガラリ（ｅｅ）を設け、このガラリから室内に空気を取込み、最上段のパネルに設けた排気口（ｎ）から排気することを特徴とするサッカーボール型住宅構造物。（第３図）
【請求項２】
輸送コスト逓減のための重量軽量化において、
大きさの同じ正五角形パネル１２枚及び正五角形の一辺と同じ長さ、同じ大きさの正六角形パネル２０枚で構成される全パネル全辺の補強フレームに木材（ｇ）を使用したことにより重量を軽減したことを特徴とする請求口１に記載のサッカーボール型住宅構造物。（第４図）
【請求項３】
サッカーボール型住宅構造物に取付ける出入口において、
パネルの大きさに制約があり出入口の位置と大きさを確保するために、上下２枚のパネル（第１図−ａ）つまり第２段目の正五角形パネルとその直上にある正六角形パネルを使用し、或は同じく第２段目正六角形パネルとその直上の正五角形パネルを使用して、球体外側に出したその袖壁（ｇｇ）にドアー（ｑ）を取付けることを特徴とする請求項１又は請求項２に記載のサッカーボール型住宅構造物。（第１図）
【請求項４】
サッカーボール型住宅構造物と基礎（ｓ）との固定において、
基礎として用いる鉄骨造、ＣＢ造、或はコンクリート造基礎部分からアンカーボルト（ａａ）４本で底盤正五角形パネル（第６図−ｃｃ）を貫通させ、ワッシャー、ナットで固定し、又大引固定用全ネジアンカーボルト（ｐ）５本以上で、（内１本は底盤パネル重心を通り、その他４本は第１段目正六角形パネルを貫通する。）根太（ｙ）、床（ｚ）を水平に保つための束（ｗ）で支えた大引を貫通し、その上下にナット、ワッシャーで固定し、且つ横荷重に対し筋交い（ｂｂ）で補強したことを特徴とする請求項１から３までの何れかの項に記載のサッカーボール型住宅構造物。
（第６図）
【発明の詳細な説明】
【技術分野】
【０００１】  本発明は、サッカーボール型住宅構造物の最良な自然対流による換気の確保、輸送コスト逓減のための重量軽減、構造物に取付けるドアーの大きさ、位置及び基礎と構造物の固定に関するものである。
【背景技術】
【０００２】  近年自然災害時に住宅を失った場合被災者は仮設住宅が出来るまで体育館等大型公共施設に一時的に避難を余儀なくされている。集団生活に慣れない被災者はストレスが溜まって困っているという状況がある。仮設住宅を建設する上で、建設場所、建設業者選定等に時間がかかっているのをテレビを通してよく見るようになりました。避難者が慣れない大収容所暮らしでストレスを持っていることは誰が見ても明らかです。その仮設住宅の問題を最良な方法で解決しようと発明したのがサッカーボール型住宅基礎固定型構造物である。【０００３】  この正五角形パネルと正六角形パネルを組合わせた過去の構造物には、国際公開ＷＯ２００５／０２６４６１号公報に提案されている軽量鉄骨類似品による骨組みにパネルを装着したサッカーボール型構造物（以後特許文献１と呼ぶ）、特開２００３−２７５９５号公報ドーム式構造物（以後特許文献２と呼ぶ）及び特開２００１−１３２８９３号公報球殻構造体形成用構造ユニット及びその組立て方法（特許文献３と呼ぶ）がある。先ず特許文献１は第７図に示す通り、正五角形パネル１２枚と正六角パネル２０枚で構成されたサッカーボール型パネル構造物ではあるが、その発明の開示で述べているように本体固定の仕方について、ついばり、ロープで固定するとあり、又水面に浮かせて使用するタイプから動産目的であり今回発明の基礎に固定するタイプつまり不動産形成の為の構造物とは明らかに異なっている。特にその構造は水面に浮かべたりするということで室内気密度が増し、さらに吸気口と排気口が同じ高さにあるため室内に自然対流を利用して空気を取込めない欠点があった。吸気口、排気口を上下に取付けることによって温度、気圧差を利用した自然換気で居住環境の確保ができた。（第３図）【０００４】  特許文献２は、第８図に示す通り複数の構造材を相互に接続した三角形のトラス状構造材からなり、立面図にすると上方に湾曲して構成されたほぼ半球状に構成されるドーム構造物である。このドーム式構造物が、複数の正五角形構造体と正六角形構造体が互いに剛結合された主フレーム構造体を備え、この主フレーム構造体が分割されることにより、前記三角形のトラス状構造体が構成されてなることを特徴とする大型ドーム式構造体であり、自然に大重量体にならざるを得ない。つまり大型屋根構造物であって今回発明の居住型とは相違する。【０００５】  特許文献３に記載されている「球殻構造体」は、第９図に示すように、「最外側縁の枠組が正六角形形状を有し、枠組み全体で平面形状を構成する枠組み構造ユニットであって、該枠組構造ユニットは、正六角形形状の最外側枠組みを構成する６個、辺部の中の隣り合わない３つの辺部を、同一構成の他の枠組み構造ユニットと互いに結合するための結合辺とし、各結合辺には他の枠組み構造ユニットを結合するための辺結合機構を備え、該辺結合機構は、互いに結合される各枠組み構造ユニットを構成する正六角形形状の平面が互いに所定の内角をなすように固定的に結合する機能とを有していることを特徴とする連結構造体形成用枠組み構造ユニット」であり、当該文献３の段落番号［０００７］に記載されているように、「相応の構造強度を持つ簡便な構成の大型構造体を���成することの可能な、簡単で軽量な枠組み又は、骨格構造ユニットを提供することを目的とする」である。そして、この特許文献３の技術によれば、当該文献の段落番号［００３８］に記載されているような、「簡便に組立てることができ、また容易に折りたたみ収納できる大型の連結構造体を容易に形成することが可能な、簡単で軽量な構成の枠組み構造ユニット又は骨格構造ユニットを実現することが出来る。」ものと考えられるが、あくまでも第９図に示すような枠組み構造ユニットであり、居住用空間を形成するものではない。
【特許文献１】  国際公開ＷＯ２００５／０２６４６１号公報
【特許文献２】  特開２００３−２７５９５号公報
【特許文献３】  特開２００１−１３２８９３号公報
【発明の開示】
【発明が解決しようとする課題】
【０００６】  解決しようとする問題点は、従来型は水に浮かべたり、半地下として地中に埋めたりするため、気密が要求される室内に空気をうまく取込めない、被災地へ輸送する為には重量が重い、パネル１枚からの出入口取付けに無理がある点、構造物の基礎への取付け強度が不十分である。
【課題を解決しようとする手段】
【０００７】  請求項１において、室内空間に温度、気圧差の対流を利用して外部空気を取込むために、最下段のパネルに吸気口（ｍ）を取付け、床下に空気を取りこみ、次に造付台又は造付棚の側面にガラリ（ｅｅ）を設け、このガラリから室内に空気を取込み、最上段のパネルに設けた排気口（ｎ）から排気することを特徴とする。（第３図）
【０００８】  請求項２において、大きさの同じ正五角形パネル１２枚及び正五角形の一辺と同じ長さで同じ大きさの正六角形２０枚で構成される全パネル全辺の補強フレームに木材（ｇ）を使用したことにより重量を軽減したことを特徴とする。（第４図）
【０００９】  請求項３において、パネルの大きさに制約があり出入口の位置と大きさを確保するために、上下２枚のパネルつまり第２段目の正五角形パネルとその直上にある正六角形パネルを使用し、或は同じく第２段目正六角形パネルとその直上の正五角形パネルを使用して、球体外側に出した袖壁（ｇｇ）にドアー（ｑ）を取付けることを特徴とする。
「出入りは別途外階段（ｒ）を設置して行う。」（第５図）
【００１０】  請求項４において、基礎（ｓ）として用いる鉄骨造、ＣＢ造或はコンクリート造基礎部分からアンカーボルト（ａａ）４本で底盤正五角形パネル（ｋ）を貫通、ワッシャー、ナットで固定し、又大引固定用全ネジアンカーボルト（ｐ）５本以上で、（内１本は底盤パネル重心を通り、その他４本は第１段目正六角形パネルを貫通する。）根太（ｙ）、床（ｚ）を水平に保つための束（ｗ）で支えた大引を貫通し、その上下にナット、ワッシャーで固定し、且つ横荷重に対し筋交い（ｂｂ）で補強したことを特徴とする。（第６図）
【発明の効果】
【００１１】  基礎に固定することによって電気配管、電話線、水道管、配水管が繋げ単独であらゆる用途に使用することが出来る。（例えば避難仮設住宅関連以外に一般住宅、喫茶室、ヨガ瞑想室、宿泊施設或は海水浴上の更衣室、トイレ等）過去の災害データよりそれ相応のストックを用意しておけば従来の仮設住宅と違ってどんな場所にでも短時間で即対応できる。何故なら基礎接地面積パネル１枚分とその作業範囲のみで建設できるからである。よってその対応の方法は球体の仮組みのまま保管する方法とパネルを現場へ運び組立てる方法がある、基礎は鉄骨の場合工場製作が可能である。
【発明を実施するための最良の形態】
【００１２】  図１は、本発明によるサッカーボール型住宅の実施例を示す外観図である。
ａは正面立面図であり、第２段目正六角形パネル（ｊ）と第３段目正五角形パネル（ｋ）の２枚を利用して球体外側に出した袖壁に出入口ドアー（ｑ）が、パネル１枚を利用して窓（ｌ）が取付けられており、第４段目のパネルに排気口（ｎ）が取付けてある。
ｂは左立面図であり、左側袖壁（ｇｇ）、吸気口（ｍ）を嵌め込んだ床下点検口（ｈｈ）、窓（ｌ）、排気口（ｎ）及びトップライト（ｏ）が取付けてある。ｃは右立面図であり、右側袖壁（ｇｇ）、窓（ｌ）及び排気口（ｎ）が取付けてある。ｄは後側立面図であり、窓（ｌ）及び排気口（ｎ）が取付けてある。【００１３】  図２は、上部視及び下部視図を示す図である。
上部視ｅにおいて、袖壁（ｇｇ）の屋根、窓（ｌ）、トップライト（ｏ）及び排気口（ｎ）が取付けてあり、下部視ｆにおいて、４ヶ所のアンカーボルト（ａａ）と正五角形パネル（ｋ）の重心を含む計５ヶ所の全ネジボルト（ｐ）があり、さらに袖壁の床下及び吸気口（ｍ）を嵌め込んだ床下点検口（ｈｈ）が取付けてある。【００１４】  図３は、室内の温かい空気が排気口（ｎ）を通して外側に排気されると、室内は負圧になり、床下の吸気口（ｍ）から負圧に向かって新鮮な空気が吸気口（ｍ）、造付台（ｖ）に取付けてあるガラリ（ｅｅ）を通して室内に入り込むという空気の対流を示している図である。【００１５】  第４図は、正五角形パネルと正六角形パネルの各取合い詳細を示している図である。
ｈは正六角形パネルと正六角形パネルの取合いを示してあり、パネル面に約６９度の角度になるよう加工した木材を補強フレームとしてパネル全周に取付けたもののうち１辺の取合いを示しており、取付けはコーススレッド（ｕ）で堅固になるようにし、シール材（ｔ）で雨水に対応していて、パネル裏面には保温対策として断熱材を張る事も有効であり、ｉは同じ要領で正六角形パネルと正五角形パネルの取合いを示している図である。【００１６】  第５図は、全体図であり、第１段目パネルに吸気口（ｍ）を取付けた床下点検口（ｈｈ）、その他基礎（ｓ）、基礎に固定され正六角形パネル（ｊ）を貫通している全ネジアンカーボルト（ｐ）、外階段（ｒ）、正五角形パネル（ｋ）、正六角形パネル（ｊ）、窓（ｌ）、トップライト（ｏ）、排気口（ｎ）、袖壁（ｇｇ）及びドアー（ｑ）を示した外観図である。【００１７】  第６図は、床下部分の断面及び基礎（ｓ）と底盤正五角形パネル（ｋ）固定のための埋込みアンカー取付け位置を示している図である。
ｆｆ、ｃｃは基礎に埋め込んだアンカーボルト（ａａ）で底盤正五角形パネル（ｋ）を貫通してワッシャー、ナットで固定し、同じく束（ｗ）で支えた大引（ｘ）を基礎に埋め込んだ全ネジアンカーボルト（ｐ）で貫通後上下をワッシャー、ナットで固定して、横荷重に対しては筋交（ｂｂ）を補強してあり、根太（ｙ）、床（ｚ）、造付台（ｖ）、ガラリ（ｅｅ）及び電気引込みのための開口部（ｄｄ）を示している図である。
【図面の簡単な説明】
【００１８】
【図１】  本発明によるサッカーボール型住宅の外観図である。
【図２】  本発明によるサッカーボール型住宅の上部、下部視図である。
【図３】  本発明によるサッカーボール型住宅の空気フロー図である。
【図４】  本発明によるサッカーボール型住宅のパネル取合い図である。
【図５】  本発明によるサッカーボール型住宅の外観全体図である。
【図６】  本発明によるサッカーボール型住宅の床下断面及びアンカーボルト、全ネジボルト配置図である。
【図７】  従来のサッカーボール型構造物の外観図である。
【図８】  従来のサッカーボール型構造物の外観図である。
【図９】  従来のサッカーボール型構造物の外観図である。
【符号の説明】
【００１９】    ａ    正面立面図
ｂ    左立面図
ｃ    右立面図
ｄ    後立面図
ｅ    上部視
ｆ    下部視
ｇ    断面図（空気フロー図）
ｈ    正六角形パネルと正六角形パネルの取合い図
ｉ    正六角形パネルと正五角形パネルの取合い図
ｊ    正六角形パネル
ｋ    正五角形パネル
ｌ    窓
ｍ    吸気口（床下点検口に取付けた例）
ｎ    排気口
ｏ    トップライト
ｐ    大引固定用全ネジボルト
ｑ    ドアー
ｒ    階段
ｓ    基礎
ｔ    シール材
ｕ    コーススレッド
ｖ    造付台
ｗ    束
ｘ    大引き
ｙ    根太
ｚ    床
ａａ    底盤パネル固定用アンカーボルト
ｂｂ    筋交い
ｃｃ    アンカーボルト、全ネジボルト配置図
ｄｄ    設備配管用スリーブ
ｅｅ    ガラリ
ｆｆ    床下断面図
ｇｇ    袖壁
ｈｈ    床下点検口
【図１】
2008291628.tif 000003
【図２】
2008291628.tif 000004
【図３】
2008291628.tif 000005
【図４】
2008291628.tif 000006
【図５】
2008291628.tif 000007
【図６】
2008291628.tif 000008
【図７】
2008291628.tif 000009
【図８】
2008291628.tif 000010
【図９】
2008291628.tif 000011